(57)【特許請求の範囲】
【請求項１】
建物開口部に設けられる枠体内に納められる障子において、
方形状のガラス体と、該ガラス体の周縁部に四周に渡って設けられる縁部材とを一体化してなるガラスユニットと、該ガラスユニットの縁部材の室内側に四周に渡って取付けられる框体とからなり、
前記縁部材は前記ガラス体の周縁部を納める断面略コ字状の取付溝部と、該取付溝部から室内側に向かって延びる室内延出部とを備え、前記取付溝部に納められたガラス体の周縁部は接着剤により固着されて前記縁部材と一体化され、
前記縁部材は前記取付溝部と室内延出部により断面略柄杓状に形成され、前記框体は前記取付溝部の室内側面と、前記室内延出部の外周側面とを覆うように取付けられると共に、外周側端部が前記取付溝部の室内側面に固定され、
前記框体は前記縁部材の室内延出部より室内側に延出された開閉装置取付部を有し、該開閉装置取付部には前記框体を前記枠体に対して開閉自在とするための開閉装置が固定され、前記取付溝部の外周面は前記開閉装置の外周端よりさらに外周側となるように形成されていることを特徴とする障子。
【請求項２】
前記室内延出部の内周側端面は前記取付溝部の開口面より内周側に配置されることを特徴とする請求項１記載の障子
【発明の詳細な説明】
【技術分野】
【０００１】
本発明は、建物開口部に設けられる枠体内に納められる障子に関し、特にガラス体に縁部材を一体化してなるガラスユニットに框体を取付けてなる障子に関する。
【背景技術】
【０００２】
建物開口部に設けられる枠体内に納められる障子は、方形状に框組みされてなる框体内にガラス体を納めて構成されるのが一般的である。框体を構成する框材には、ガラス体の周縁部を納める凹状の取付溝が形成されており、ガラス体は取付溝に納められた周縁部がグレチャンまたは押縁部材により固定される。このような障子を有したサッシとして、例えば特許文献１に挙げるようなものがある。
【特許文献１】特開２００７−１３２０８４号公報
【発明の開示】
【発明が解決しようとする課題】
【０００３】
従来の障子は、ガラス体を框体に固定するため、グレチャンを巻いたり押縁部材を取付けたりといった作業が必要であった。このため、組み立て作業が繁雑になっていた。また、グレチャンや押縁部材は障子の気密性を確保するものでもあるため、その取付作業には熟練が必要であり、作業者毎に品質が異なるおそれがあった。さらに、引き違いサッシや開き窓サッシ、あるいは嵌め殺し窓サッシなどサッシの種類毎に框体は枠体との固定構造が異なり、したがってそれぞれ異なる形状を有する必要があるため、部品の共用化によるコストダウンを図ることもできなかった。
【０００４】
本発明は、上記問題点を解決すべくなされたものであり、ガラス体の取付作業を不要とし、部品の共用化も図ることのできる障子を提供することを目的とする。
【課題を解決するための手段】
【０００５】
上記課題を解決するため、本発明に係る障子は、建物開口部に設けられる枠体内に納められる障子において、
方形状のガラス体と、該ガラス体の周縁部に四周に渡って設けられる縁部材とを一体化してなるガラスユニットと、該ガラスユニットの縁部材の室内側に四周に渡って取付けられる框体とからなり、
前記縁部材は前記ガラス体の周縁部を納める断面略コ字状の取付溝部と、該取付溝部から室内側に向かって延びる室内延出部とを備え、前記取付溝部に納められたガラス体の周縁部は接着剤により固着されて前記縁部材と一体化され、
前記縁部材は前記取付溝部と室内延出部により断面略柄杓状に形成され、前記框体は前記取付溝部の室内側面と、前記室内延出部の外周側面とを覆うように取付けられると共に、外周側端部が前記取付溝部の室内側面に固定され、
前記框体は前記縁部材の室内延出部より室内側に延出された開閉装置取付部を有し、該開閉装置取付部には前記框体を前記枠体に対して開閉自在とするための開閉装置が固定され、前記取付溝部の外周面は前記開閉装置の外周端よりさらに外周側となるように形成されていることを特徴として構成されている。
【０００８】
さらにまた、本発明に係る障子は、前記室内延出部の内周側端面は前記取付溝部の開口面より内周側に配置されることを特徴として構成されている。
【発明の効果】
【０００９】
本発明に係る障子によれば、方形状のガラス体と、ガラス体の周縁部に四周に渡って設けられる縁部材とを一体化してなるガラスユニットと、ガラスユニットの縁部材の室内側に四周に渡って取付けられる框体とからなることにより、ガラスユニットに框体を取付けるだけで障子を形成することができるので、ガラス体の取付作業を不要とすることができ、またサッシの種類に応じて框体のみを変えればよいので、ガラスユニットは複数種類のサッシにおいて共用することができ、部品の共用化も図ることができる。また、縁部材はガラス体の周縁部を納める断面略コ字状の取付溝部と、取付溝部から室内側に向かって延びる室内延出部とを備え、取付溝部に納められたガラス体の周縁部は接着剤により固着されて縁部材と一体化されてなることにより、ガラスユニットを簡単な加工で形成することができる。
【００１０】
また、本発明に係る障子によれば、縁部材は取付溝部と室内延出部により断面略柄杓状に形成され、框体は取付溝部の室内側面と、室内延出部の外周側面とを覆うように取付けられると共に、外周側端部が取付溝部の室内側面に固定されることにより、框体を縁部材に容易に取付けることができると共に、框体の外周側に開閉装置を配置する空間を確保することができる。
【００１１】
さらに、本発明に係る障子によれば、框体は縁部材の室内延出部より室内側に延出された開閉装置取付部を有し、開閉装置取付部には框体を枠体に対して開閉自在とするための開閉装置が固定され、取付溝部の外周面は開閉装置の外周端よりさらに外周側となるように形成されていることにより、室外側から開閉装置が見えないようにすることができる。
【００１２】
さらにまた、本発明に係る障子によれば、室内延出部の内周側端面は取付溝部の開口面より内周側に配置されることにより、開閉装置を配置するための空間を充分に確保することができる。
【発明を実施するための最良の形態】
【００１３】
本発明の実施形態について図面に沿って詳細に説明する。図１には本実施形態におけるサッシの外観図を、図２には本実施形態におけるサッシの内観図を、それぞれ示している。これら各図に示すように、本実施形態におけるサッシは、建物開口部に設けられる枠体１内に辷り出し状に開閉自在な障子２を横方向に２枚、縦方向に２枚、それぞれ納めて構成されている。なお、図１及び図２では障子２を開閉するためのハンドル等は省略している。図１においてサッシの周囲部に設けられているのは外壁材３であり、図２においてサッシの周囲部に設けられているのは内壁材４である。
【００１４】
枠体１は、上枠１０と下枠１１及び左右の縦枠１２、１２とを方形状に枠組みしてなり、その内部には仕切材として縦方向に方立１３が、横方向に無目１４が、それぞれ設けられることで、枠体１が複数の区画に仕切られている。このように仕切材により仕切られた各区画に障子２がそれぞれ納められている。方立１３と無目１４は、方立１３が上枠１０から下枠１１に渡って通して設けられ、無目１４が枠体１と方立１３または方立１３間を渡すように設けられて、いわゆる縦通しとなるように配置されている。
【００１５】
図２に示すように、室内側からは枠体１が内壁材４によって覆われている。また、方立１３や無目１４は、室内面を樹脂内枠３０で覆われており、室内側に直接露出しないようにされている。さらに、障子２は後述するようにガラスユニット２０と框体２１とで構成されており、框体２１は樹脂内枠３０より内周側に突出しないようにされているため、障子２は内観視においてガラス体２２のみが見えるようになっている。
【００１６】
次に、枠体１の構成についてさらに詳細に説明する。図３にはサッシの縦断面図を、図４にはサッシの横断面図を、それぞれ示している。枠体１は、前述のように上枠１０と下枠１１及び左右の縦枠１２が方形状に枠組みされ、それぞれ建物躯体に対して固定されている。仕切材となる方立１３と無目１４は、いずれも同じ断面形状を有するように形成されている。
【００１７】
方立１３と無目１４は、断面略長方形状の中空部分を備え、両側面が障子２の外周面と対向する内周面４０であり、さらに室外面４１と室内面４２を備えている。両側の内周面４０には室内外中間位置に内周側に向かって突出する起立片４３が形成されており、その先端部分には室外側面に気密材４４が長手方向に沿って設けられている。気密材４４は障子２に当接し、枠体１と障子２間の気密性を確保する。
【００１８】
枠体１を構成する上枠１０と下枠１１及び縦枠１２にも、方立１３及び無目１４と同じ見込方向位置に内周側に向かって突出する起立片４３が形成されており、その室外側面には気密材４４が設けられて、障子２との間の気密性を確保するようにしている。
【００１９】
方立１３の両側の内周面４０には、それぞれ障子２を開閉自在に支持する開閉装置１６が取付けられている。開閉装置１６は、内周面４０のうち起立片４３よりも室外側に設けられ、障子２と連係するようにされている。また、枠体１を構成する縦枠１２にも、内周面の起立片４３より室外側に開閉装置１６が取付けられており、障子２と連係している。
【００２０】
下枠１１と無目１４には、ロック部１７が設けられている。ロック部１７は、障子２の下辺に取付けられるハンドル１５と連係するハンドル連係部１８と係合して障子２の開閉をロックする。ハンドル１５を操作してロック部１７との係合を解除することで、障子２を開閉させることができるようになる。
【００２１】
方立１３及び無目１４の起立片４３より室内側には、樹脂内枠３０が設けられる。樹脂内枠３０は、起立片４３の室内側面と起立片４３より室内側の内周面４０及び室内面４２を覆っている。樹脂内枠３０は、両側の起立片４３の室内側面を覆う起立片被覆部３１と、室内面４２を覆うと共に、それよりも内周側まで突出して起立片被覆部３１と対向する室内側部３２とを有しており、室内側部３２の起立片被覆部３１と対向する部分、内周面４０を覆う部分、及び起立片被覆部３１で凹状の収納溝３３が両側に形成されている。
【００２２】
収納溝３３には伸縮網戸５を納めることができるようにされている。伸縮網戸５は左右方向に伸縮自在に形成された網戸であって、手で持って開閉させるための引手部５ａと網状に形成された網部５ｂとを有している。図３に示すように、無目１４に設けられた樹脂内枠３０の収納溝３３には、伸縮網戸５の上下端部のいずれかがそれぞれ納められて、伸縮網戸５の開閉をガイドする。図４に示すように、方立１３に設けられた樹脂内枠３０の一方の収納溝３３には、縮んだ状態の伸縮網戸５が固定され納められている。樹脂内枠３０の他方の収納溝３３は、対向する縦枠１２側から伸ばされた伸縮網戸５の引手部５ａを納めることができる。
【００２３】
収納溝３３の室外壁となる起立片被覆部３１と収納溝３３の室内壁となる室内側部３２には、開口位置及び溝深さ方向中間位置にそれぞれカバー係合部３４が形成されている。図４において方立１３の左側に形成される収納溝３３には、溝深さ方向中間位置のカバー係合部３４に対してカバー部材４５が係合固定されている。カバー部材４５は収納溝３３を塞ぐように平面状に形成されており、ここでは収納溝３３の底を開口側に上げ底状とし、伸ばされた伸縮網戸５の引手部５ａを当接させるためにカバー部材４５が設けられている。
【００２４】
枠体１を構成する上枠１０と下枠１１及び縦枠１２にも樹脂内枠３５が設けられる。枠体１に設けられる樹脂内枠３５は、各枠材の起立片４３より室内側を覆うようにされており、起立片４３の室内側面を覆う起立片被覆部３６と、起立片被覆部３６と対向する室内側部３７とで凹状の収納溝３８を形成している。枠体１の樹脂内枠３５に形成された収納溝３８には、上枠１０と下枠１１においては伸縮網戸５の上下端部のいずれかがそれぞれ納められて、伸縮網戸５の開閉をガイドする。図４に示すように、左側の縦枠１２に設けられた樹脂内枠３５の収納溝３８には、縮んだ状態の伸縮網戸５が固定され納められている。
【００２５】
収納溝３８には開口位置と溝深さ方向中間位置にそれぞれカバー係合部３９が形成されており、図４において右側の縦枠１２では溝深さ方向中間位置のカバー係合部３９にカバー部材４５が係合固定されている。このカバー部材４５に対しては、当該収納溝３８と対向する方立１３の収納溝３３に納められた伸縮網戸５が伸ばされた際に、その引手部５ａが当接する。
【００２６】
このように、方立１３や無目１４及び枠体１の各枠材に収納溝３３、３８を備えた樹脂内枠３０、３５を設けたことにより、伸縮網戸５を納めることのできる収納溝３３、３８が各区画の四周に渡って形成されるので、障子２の室内側に伸縮網戸５を設けて虫等の侵入を防止することができる。また、収納溝３３、３８を四周に渡って設けた上で、縮んだ状態の伸縮網戸５を収納・固定する側と、伸ばされた伸縮網戸５の引手部５ａを当接させる側とを、カバー係合部３４、３９に係合させるカバー部材４５の有無で変更することができるので、伸縮網戸５を左右いずれの向きにも取付けることができる。
【００２７】
また、方立１３及び無目１４に設けられる樹脂内枠３０は、室内側部３２の室内面が平面状に形成されている。また、室内側部３２は方立１３及び無目１４の室内面４２よりも内周側まで突出し、内周端位置が起立片４３を被覆する起立片被覆部３６と略同じとなるようにされている。すなわち、室内側部３２は方立１３及び無目１４の見付面全体を覆っており、それが平面状に形成されていることによって、内観視において意匠性を良好にすることができる。すなわち、樹脂内枠３０は伸縮網戸５を納めるという機能を有すると共に、室内側に直接露出する部材とすることができて、方立１３や無目１４の室内側にさらに室内材等を設ける必要がなく、簡易な構造でサッシを構成することができる。
【００２８】
一方で、樹脂内枠３０の室内側に室内材を設ける構成としてもよい。この場合には、樹脂内枠３０の室内側部３２に、室内材を取付けるための突起等を設ける必要がある。また、本実施形態では室内側部３２を中空状として室内側面を平面状としているが、室内側部３２を板状に形成し、別体として形成したカバー材を室内側部３２に取付けて、室内側面を形成するようにしてもよい。
【００２９】
図５には枠体１の分解斜視図を示している。この図に示すように、枠体１を構成する上枠１０と下枠１１及び縦枠１２については、上枠１０の端面が縦枠１２の内周面に突き合わされ、また下枠１１の端面が縦枠１２の内周面に突き合わされる。一方で、縦枠１２の起立片４３は、上下端部において切り欠かれており、同様に起立片４３を覆う樹脂内枠３５も上下端部が切り欠かれている。すなわち、縦枠１２の収納溝３３は、上下端面がそれぞれ上枠１０の収納溝３３及び下枠１１の収納溝３３に突き合わされる。
【００３０】
方立１３は、上下端面がそれぞれ上枠１０と下枠１１の内周面に突き合わされる。方立１３の上下端部は、それぞれ起立片４３よりも室外側が切り欠かれて、端面が上枠１０及び下枠１１の内周面に適合するようにされている。また、方立１３の両端面にはそれぞれ連結部品（図示しない）が設けられて、上枠１０及び下枠１１に対して連結される。一方、上枠１０と下枠１１の樹脂内枠３５は、方立１３が突き合わされる位置が切り欠かれており、方立１３の樹脂内枠３０は上下端部がこの切欠部分に配置される。
【００３１】
無目１４は、一方の端面が縦枠１２の内周面に、他方の端面が方立１３の内周面に、それぞれ突き合わされる。また、無目１４の両端面にはそれぞれ連結部品（図示しない）が設けられて、縦枠１２及び方立１３に対して連結される。縦枠１２の樹脂内枠３５は、無目１４が突き合わされる位置が切り欠かれており、無目１４の樹脂内枠３０の端部がこの切欠部分に配置される。なお、無目１４の方立１３側においては、樹脂内枠３０の端面が方立１３の樹脂内枠３０の側面に突き合わされるため、樹脂内枠３０の端部が切り欠かれている。
【００３２】
次に、障子２について詳細に説明する。障子２は、ガラス体２２を有したガラスユニット２０と、ガラスユニット２０の室内側に設けられる框体２１とで構成されている。図６（ａ）には障子２の分解横断面図を、図６（ｂ）には組み立てられた障子２の横断面図を、それぞれ示している。図６（ａ）に示すように、ガラスユニット２０は複層ガラスからなるガラス体２２の周縁部に縁部材２３を一体的に設けて構成されている。縁部材２３は、ガラス体２２の周縁部に四周に渡って設けられる。
【００３３】
縁部材２３は、アルミの型材によって形成されており、ガラス体２２の周縁部を納める溝状の取付溝部２５と、取付溝部２５から室内側に延出される室内延出部２６とが一体的に形成されている。取付溝部２５は室外壁２５ａと室内壁２５ｂとを有する断面略コ字状に形成されており、室外壁２５ａと室内壁２５ｂは内周端位置が同じとなるように形成されている。また、ガラス体２２と取付溝部２５との間には接着剤が充填され、これによってガラス体２２と縁部材２３とが一体化されガラスユニット２０を形成している。
【００３４】
室内延出部２６は、取付溝部２５の室内壁２５ｂの開口端部から室内側に延びる第１延出片２６ａと、第１延出片２６ａの室内端部から内周側に延びる第２延出片２６ｂと、第２延出片２６ｂの内周端部から室内側に延びる第３延出片２６ｃとで段差状に形成され、縁部材２３全体としては取付溝部２５とで柄杓状をなすように形成されている。
【００３５】
框体２１も縁部材２３と同様、アルミの型材によって形成されており、縁部材２３の取付溝部２５の室内面と室内延出部２６の外周面を覆うような形状に形成される。框体２１は、取付溝部２５の室内面を覆う部分に室外側に向かう係合部２１ａを有しており、縁部材２３の取付溝部２５を構成する室内壁２５ｂに形成される引っ掛け部２６ｄに係合部２１ａが引っ掛けられて係合される。係合部２１ａの反対側には気密材２１ｂが設けられており、この気密材２１ｂが方立１３または無目１４の室外面４１に当接することで、方立１３及び無目１４と障子２の気密性を向上させている。また、図３に示すように、上枠１０と下枠１１の内周面には框体２１の室内面と対向する段部１０ａ、１１ａがそれぞれ形成されており、気密材２１ｂが段部１０ａ、１１ａにそれぞれ当接することで、上枠１０や下枠１１と障子２の気密性を向上させている。さらに、図４に示すように、縦枠１２の内周面には框体２１の室内面と対向する突出片１２ａが形成されており、気密材２１ｂが突出片１２ａに当接することで、縦枠１２と障子２の気密性を向上させている。
【００３６】
框体２１は、縁部材２３の室内延出部２６よりも室内側まで延出された開閉装置取付部２１ｃを有している。開閉装置１６は、縦方向に配置される框体２１の開閉装置取付部２１ｃと、対向する方立１３の内周面４０または縦枠１２の内周面との間の領域に設けられる。ここで、図４に示すように、框体２１の内周面は方立１３の起立片４３または縦枠１２の起立片４３の端部位置と略同じ見付方向位置に配置される。このため、開閉装置１６は室内側に露出することがない。また、ガラスユニット２０の外周面となる縁部材２３の取付溝部２５の底面は、開閉装置１６の外周端よりも外周側となるように配置されている。すなわち、取付溝部２５は方立１３の室外面４１または縦枠１２の突出片１２ａと室内外方向においてオーバーラップしており、連設側においては隣接する障子２の取付溝部２５と近接している。これによって、開閉装置１６が室外側に露出しないようにすることができると共に、方立１３の露出も最低限として外観をスリムに見せることができる。
【００３７】
また、横方向に配置される框体２１については、対向する無目１４の内周面４０または下枠１１の内周面との間の領域に、ハンドル１５と連係してロック部１７と係脱するハンドル連係部１８と、前述のロック部１７とが配置される。ここでも、図３に示すように、框体２１の内周面は無目１４の起立片４３または下枠１１の起立片４３の端部位置と略同じ見付方向位置に配置されているので、ハンドル連係部１８やロック部１７が室内側に露出しないようにすることができる。また、取付溝部２５は無目１４の室外面４１または上枠１０や下枠１１の段部１０ａ、１１ａと室内外方向においてオーバーラップしており、連設側においては隣接する障子２の取付溝部２５と近接している。これによって、ハンドル連係部１８やロック部１７が室外側に露出しないようにすることができると共に、無目１４の露出も最低限として外観をスリムに見せることができる。
【００３８】
縁部材２３や框体２１の内周側には、これらを覆う内周樹脂カバー材２４が設けられる。内周樹脂カバー材２４は、樹脂材によって形成されており、縁部材２３及び框体２１の室内側内周部を全て覆うことで、これらが室内側に直接露出しないようにし、障子２の意匠性を向上させている。内周樹脂カバー材２４は、障子２の室内側内周面を構成する内周面部２４ａと、内周面部２４ａの室外端部から外周側に突出する脚部２４ｂと、脚部２４ｂの室内側において外周側に突出する係合片２４ｃとを有している。係合片２４ｃは、縁部材２３の第２延出片２６ｂに形成される係合部２６ｅに係合され、内周樹脂カバー材２４を縁部材２３に固定している。
【００３９】
脚部２４ｂは、縁部材２３の室内延出部２６において段差状に形成された部分を覆うように形成されており、その端部は取付溝部２５の室内壁２５ｂと略連続状とされている。縁部材２３の室内延出部２６が段差状に形成されているのは、ガラス体２２を取付溝部２５に対し接着剤の充填により固定するため、取付溝部２５の室内壁２５ｂが室外壁２５ａよりも内周側まで延びていた場合、室内壁２５ｂとガラス体２２との間の接着剤が、室外側から透明なガラス体２２を通して見えることとなるので、室内壁２５ｂの開口端を室外壁２５ａと同じになるようにし、室内延出部２６を段差状として接着剤の充填が室内壁２５ｂの開口端までとなるようにしていることによる。しかし、そのままでは室内延出部２６の段差状の部分が室外側から見えることとなるため、内周樹脂カバー材２４の脚部２４ｂによりこの領域を被覆することとしている。
【００４０】
脚部２４ｂはガラス体２２を通して室外側から見えることとなるため、内周樹脂カバー材２４のうち脚部２４ｂのみを、室外側に露出する縁部材２３の色と合わせることで、外観意匠をより向上させることができる。また、脚部２４ｂについて黒色等の目立たない色とすることによっても、外観意匠を向上させることができる。
【００４１】
なお、取付溝部２５の底面と框体２１の内周面までの距離は、連設される障子２間の距離及び障子２の外周面と枠体１の内周面との距離を一定とした場合に、開閉装置１６あるいはハンドル連係部１８及びロック部１７の大きさによるため、框体２１の内周面を室外壁２５ａの内周端部位置と合わせて、室内延出部２６に段差部分を形成しないようにすることは、開閉装置１６等を配置する空間を確保できないので、困難である。また、室外壁２５ａをより内周側まで延長することで、室内延出部２６に段差部分を形成することなく、框体２１の内周面位置まで室内壁２５ｂを形成することもできるが、この場合には室外側に露出する室外壁２５ａの見付面が大きくなるため、意匠性を低下させることとなる。すなわち、室内延出部２６に段差部分を形成してその領域を内周樹脂カバー材２４の脚部２４ｂで覆うようにしたことに伴って、縁部材２３の室外壁２５ａは幅細に形成することができ、外観意匠を向上させることができる。
【００４２】
また、サッシ全体としては、障子２の室内側内周面を構成する内周樹脂カバー材２４の内周面部２４ａと、方立１３及び無目１４の起立片４３の内周端と、樹脂内枠３０の室内面部３２の内周端とは、略同一面内に配置されている。また、内周樹脂カバー材２４の内周面部２４ａと、枠体１の起立片４３の内周端と、樹脂内枠３５の室内面部３７の内周端も、略同一面内に配置されている。すなわち、室内視において障子２の内周面部２４ａと起立片被覆部３１、３６は室内面部３２、３７に隠れた状態となるため、これらの存在を意識させないスリムな内観とすることができる。
【００４３】
内周樹脂カバー材２４の内周面部２４ａと脚部２４ｂとで形成される角部には、対向するガラス体２２に向かって突出するヒレ部２４ｄが形成されている。ヒレ部２４ｄは四周に渡って形成されており、脚部２４ｂとガラス体２２との間の空間に埃等が侵入することを防止する。
【００４４】
内周樹脂カバー材２４の室内側端部には、外周側に向かって突出するように軟質部２４ｅと係合部２４ｆが形成されている。軟質部２４ｅは、軟質樹脂によって形成されており、そのさらに先端側に係合部２４ｆが形成されている。係合部２４ｆは、框体２１の室内側端部に形成される被係合部２１ｄに対して係合自在とされている。このように、内周樹脂カバー材２４の室内端部に軟質部２４ｅを介して係合部２４ｆが形成されていることにより、内周樹脂カバー材２４を框体２１に対して容易に着脱自在とすることができる。
【００４５】
障子２は、ガラスユニット２０を構成する縁部材２３と框体２１とで、枠組み構造が異なっている。縁部材２３は、図１にも示すように、各部材の端部が傾斜状とされて突き合わされ、連結がなされている。框体２１の枠組み構造については、図７に模式的に示している。この図は框体２１を室内側から見た正面図である。框体２１には上下の横框５０と左右の縦框５１が設けられ、縦框５１は上側の横框５０の下端位置から下側の横框５０の上端位置に渡って設けられ、コーナー部分には横框５０と縦框５１を連結するコーナー連結部材５５が設けられる。
【００４６】
框体２１を構成する各部材には、前述のように気密材２１ｂが長手方向に沿って設けられており、コーナー連結部材５５にも横框５０の気密材２１ｂ及び縦框５１の気密材２１ｂといずれも連続状となるようにＬ字状に気密材５６が設けられる。これによって、框体２１を容易に連結することができると共に、気密材も四周に渡って容易に連続状とすることができる。
【００４７】
なお、框体２１の連結構造はこれに限られず、例えば縦框５１を縦通しに設けて横框５０の端面を縦框５１の内周面に突き合わせ、ネジ止め固定するようにしてもよいし、逆に横框５０を横通しに設けて縦框５１の端面を横框５０の内周面に突き合わせ、ネジ止め固定するようにしてもよい。
【００４８】
次に、本発明の第２の実施形態について説明する。第２の実施形態は、枠体１の構成は第１の実施形態と同様であり、その一方で障子２が嵌め殺し窓である点で異なっている。このため、共通する点については説明を省略する。図８には第２の実施形態におけるサッシの縦断面図を、図９には第２の実施形態におけるサッシの横断面図を、それぞれ示している。
【００４９】
本実施形態は、枠体１の障子２を支持する構造は第１の実施形態に示した辷り出し窓と略同様とする一方で、ロック部１７による障子２の固定状態を解除するハンドル等を設けないことで、障子２を常時閉じた状態として嵌め殺し窓を構成したものである。ただし、第１の実施形態と異なり、無目１４及び下枠１１と框体２１との間に開閉装置１６を設け、方立１３及び縦枠１２と框体２１との間にロック部１７及びハンドル連係部１８を設けている。これによって、障子２は枠体１に開閉装置１６を介して支持されており、またハンドル連係部１８とロック部１７とが係合した状態となっている。ただし、ハンドルは設けられていないため、ハンドル連係部１８を操作してロック部１７との係合を解除することはできないようにされている。
【００５０】
嵌め殺し窓の場合には、網戸を設ける必要はないが、樹脂内枠３０、３５は第１の実施形態と同じものを用いているので、これらには収納溝３３、３８がそれぞれ形成されている。この収納溝３３、３８を塞ぐため、収納溝３３の開口部に設けられたカバー係合部３４及び収納溝３８の開口部に設けられたカバー係合部３９に、それぞれカバー部材４５が係合固定される。このカバー部材４５は、第１の実施形態において伸縮網戸５の引手部５ａが当接する側の収納溝３３、３８に設けたものと同じ部品を用いている。
【００５１】
このように、樹脂内枠３０、３５には収納溝３３、３８について溝深さ方向に２箇所のカバー係合部３４を設けているので、網戸を設けない嵌め殺し窓サッシにおいても、網戸を設けるサッシと同じ樹脂内枠３０、３５及びカバー部材４５を用いることができ、部品の共用化によるコストダウンを図ることができる。
【００５２】
また、本実施形態においても障子２の縁部材２３と框体２１の内周面には内周樹脂カバー材２４が設けられている。この内周樹脂カバー材２４は、ハンドルを挿通させる貫通孔を有していないことを除いて第１の実施形態において用いられているものと同じ部品であり、係合片２４ｃが縁部材２３の係合部２６ｅに係合することで固定されている。すなわち、内周樹脂カバー材２４は係合片２４ｃによる係合を解除することで、容易に取り外すことができる。
【００５３】
本実施形態では、ハンドル連係部１８が取付けられている框体２１も第１の実施形態と同じ部品を用いているため、障子２の縦辺において内周樹脂カバー材２４を取り外すと、ハンドル連係部１８のうちハンドルと連係する部分が露出する。この部分をドライバー等を用いて操作することで、ハンドル連係部１８とロック部１７との係合を解除し、障子２を開くこともできる。嵌め殺し窓であっても、清掃時等において窓を開放したい場合もあり、取り外し可能な内周樹脂カバー材２４を設けることでそれを可能としている。また、内周樹脂カバー材２４に軟質部２４ｅを設けたことにより、内周樹脂カバー材２４をより容易に取り外すことができる。
【００５４】
以上、本発明の実施形態について説明したが、本発明の適用はこれら実施形態には限られず、その技術的思想の範囲内において様々に適用されうるものである。例えば、これら実施形態においては、障子２を縦方向に２枚、横方向に２枚納めるように仕切材を設けたが、障子２の枚数はこれに限られない。図１０には、障子２を縦方向に３枚、横方向に３枚納めるように仕切材を設けたサッシの斜視図を示している。この図に示すように、より多くの枚数の障子２を納められるように枠体１内に仕切材を設けてもよい。
【図面の簡単な説明】
【００５５】
【図１】サッシの外観図である。
【図２】サッシの内観図である。
【図３】サッシの縦断面図である。
【図４】サッシの横断面図である。
【図５】枠体の分解斜視図である。
【図６】ガラスユニットの分解横断面図及び組み立てた横断面図である。
【図７】框体の模式的な正面図である。
【図８】第２の実施形態におけるサッシの縦断面図である。
【図９】第２の実施形態におけるサッシの横断面図である。
【図１０】障子を縦方向に３枚、横方向に３枚納めたサッシの斜視図である。
【符号の説明】
【００５６】
１    枠体
２    障子
５    伸縮網戸
１０    上枠
１１    下枠
１２    縦枠
１３    方立
１４    無目
１５    ハンドル
１６    開閉装置
１７    ロック部
１８    ハンドル連係部
２０    ガラスユニット
２１    框体
２２    ガラス体
２３    縁部材
２４    内周樹脂カバー材
２４ｂ  脚部
２４ｄ  ヒレ部
２５    取付溝部
２６    室内延出部
２６ａ  第１延出片
２６ｂ  第２延出片
２６ｃ  第３延出片
３０    樹脂内枠
３１    起立片被覆部
３２    室内側部
３３    収納溝
３４    カバー係合部
３５    樹脂内枠
３６    起立片被覆部
３７    室内側部
３８    収納溝
３９    カバー係合部
４０    内周面
４３    起立片
４４    気密材
４５    カバー部材
【図１】
0005036502.tif 000002
【図２】
0005036502.tif 000003
【図３】
0005036502.tif 000004
【図４】
0005036502.tif 000005
【図５】
0005036502.tif 000006
【図６】
0005036502.tif 000007
【図７】
0005036502.tif 000008
【図８】
0005036502.tif 000009
【図９】
0005036502.tif 000010
【図１０】
0005036502.tif 000011